(57)【要約】【課題】光ディスク装置の光ピックアップ送り機構において、ラック部とリードスクリュー側との係合を確保しかつラック部の歯飛び音を抑える技術の提供。【解決手段】光ピックアップ側のラック部が係合するリードスクリューの送りねじとして、ディスク半径増大方向に対し溝深さが次第に減少するものを設け、かつ、上記ラック部を弾性復元力で付勢し該ラック部を上記送りねじの上記溝に当接させる。【選択図】  図２
2005056458.tif 000002
【特許請求の範囲】
【請求項１】
光ディスクの半径方向に光ピックアップを移動させ情報の記録、再生のいずれか一方または両方を行う光ディスク装置であって、
上記光ピックアップの移動を案内するガイド部材と、
上記ガイド部材に平行に配され、表面にディスク半径増大方向に対し溝深さが次第に減少する送りねじが設けられ、回転により該送りねじに係合した上記光ピックアップ側のラック部に移動力を伝えるリードスクリュー部材と、
上記ラック部を弾性復元力で付勢し該ラック部を上記送りねじの上記溝の面に当接させる弾性部材と、
上記リードスクリュー部材を回転させる送りモータと、を備えた構成を特徴とする光ディスク装置。
【請求項２】
上記リードスクリュー部材は、溝深さが次第に減少する送りねじが、上記光ピックアップのディスク半径増大方向の移動の終端部を含む領域に設けられている請求項１に記載の光ディスク装置。
【請求項３】
上記リードスクリュー部材は、その長さ方向に、上記送りねじの溝深さが略一定の第１の領域と、ディスク半径増大方向に対し該送りねじの溝深さが次第に減少する第２の領域とを有する構成である請求項１または請求項２に記載の光ディスク装置。
【発明の詳細な説明】
【０００１】
【発明の属する技術分野】
本発明は、光ディスク装置に係り、特に光ピックアップを移動させる部分の構成に関する。
【０００２】
【従来の技術】
本発明に関連した従来技術としては、例えば特開２００３−５９２１２号公報（特許文献１）や、特開２００２−１０９８３９号公報（特許文献２）に記載されたものがある。特開２００３−５９２１２号公報には、付勢部材によりピックアップ側のクロー部をリードスクリューに押し付けるピックアップ送り機構が記載され、特開２００２−１０９８３９号公報には、ピックアップの位置を正規化する際の音の発生を防止するために、ピックアップを最外周位置に移動させたときに、ピックアップ側の噛合突起とリードスクリューとの間で脱調が生じ、強く噛合うようにした構成が記載されている。
【０００３】
【特許文献１】
特開２００３−５９２１２号公報
【特許文献２】
特開２００２−１０９８３９号公報
【０００４】
【発明が解決しようとする課題】
上記従来技術のうち、特開２００３−５９２１２号公報記載の技術は、付勢部材によりピックアップ側のクロー部をリードスクリューに押し付けることで、単に、該クロー部と該リードスクリューとの噛合いを確保するようにしたものであり、該クロー部と該リードスクリューとの噛合いに起因する音の低減化させる技術ではない。また、特開２００２−１０９８３９号公報記載の技術は、噛合突起とリードスクリューとの間を単に強く噛合わせることで、ピックアップ位置の正規化時の音を抑えるようにした構成であり、上記噛合突起をリードスクリューとの強い噛合せにより、該噛合突起や該リードスクリューの表面に傷がつくおそれがある。
本発明の課題点は、上記従来技術の状況に鑑み、光ディスク装置の光ピックアップ送り機構において、光ピックアップ側のラック部とリードスクリュー側との係合を、係合部に傷が付かない状態で確保するとともに、該係合が歯飛び状態（ラック部がねじの溝から外れ、再び該溝に係合することを繰返す状態）となったときの音を抑えられるようにすることである。
本発明の目的は、かかる課題点を解決できる技術の提供にある。
【０００５】
【課題を解決するための手段】
上記課題点を解決するために、本発明では、基本的に、光ディスク装置において、光ピックアップ側のラック部が係合するリードスクリューの送りねじとして、ディスク半径増大方向に対し溝深さが次第に減少するものを設け、かつ、上記ラック部を弾性復元力で付勢して該ラック部を上記送りねじの上記溝の面に当接させる構成とする。
【０００６】
【発明の実施の形態】
以下、本発明の実施例につき、図面を用いて説明する。
図１〜図３は、本発明の実施例の説明図である。図１は、本発明の実施例としての光ディスク装置の構成例図、図２は、図１の光ディスク装置に用いたリードスクリュー部材の構成図、図３は、図２の構成の比較図であって、送りねじの溝深さが一定のリードスクリューの図である。
【０００７】
図１において、１は、光ディスク（図示なし）の情報記録面にレーザー光を照射したり、反射光を受光したりして、該情報記録面に対し信号の記録や再生を行う光ピックアップ、２は、搭置された光ディスク（図示なし）を回転させるターンテーブル、３は、回転により光ピックアップ１を光ディスク半径方向に移動させるリードスクリュー部材、４は、リードスクリュー部材３を回転駆動する送りモータ、５は、光ピックアップ１の光ディスク半径方向の移動を案内するガイド部材、６は、リードスクリュー部材３の送りねじの溝Ｃに係合するラック部、７は、ラック部６を付勢する弾性部材としてのばね、８はシャーシ、９は、装置の配線パターンが設けられ、外部との電気的接続を行うためのフレキシブル基板である。リードスクリュー部材３は、ガイド部材５と平行に配されている。リードスクリュー部材３の表面に設けた送りねじは、その溝Ｃの深さ（以下、溝深さという）が、ディスク外径側においてディスク半径増大方向に対し次第に減少する構成とされている。ラック部６は、ばね７の弾性復元力で付勢された状態でリードスクリュー部材３の送りねじの溝Ｃに係合され、当接面が該溝Ｃの面に当接される。ガイド部材５と、リードスクリュー部材３と、ガイド部材５に係合する光ピックアップ１側の部分と、ラック部６と、ばね７と、送りモータ４とが、光ピックアップ送り機構を構成している。
【０００８】
上記構成において、例えば、記録または再生の動作開始時において、送りモータ４によりリードスクリュー３が回転駆動されると、その送りねじの溝Ｃに係合されたラック部６に移動力が伝達され、光ピックアップ１がガイド部材５によって案内され光ディスクの半径増大方向に移動する。ラック部６が移動し光ピックアップ１が半径増大方向の移動の終端位置に達すると、該位置でラック部６の移動も、光ピックアップ１の移動停止状態により強制的に停止される。このとき、送りモータ４は継続して回転を続けリードスクリュー３をそのまま回転させるため、ラック部６がリードスクリュー３の送りねじの溝Ｃに対し、歯飛び状態（ラック部がねじの溝から外れ、再び該溝に係合することを繰返す状態）となる。本実施例の場合、該歯飛び状態は、溝深さが浅い送りねじの部分で発生することになる。該歯飛び状態で、送りモータ４を逆転させる指示信号がマイコン等の制御系（図示なし）により形成される。これにより、送りモータ４が逆転され、リードスクリュー３を上記とは反対方向に回転させ、光ピックアップ１を光ディスクの半径減少方向に移動させ、所定のディスク内径側の位置に移動させる。
【０００９】
図２は、図１の光ディスク装置に用いたリードスクリュー部材の構成図である。（ａ）は、送りねじの溝深さが略一定の部分と変化する部分とを示す図、（ｂ）は、（ａ）において溝深さが変化する部分Ａの拡大断面図である。
図２において、３はリードスクリュー部材、ｙ１はリードスクリュー部材の長さ方向にわたって送りねじの溝深さが略一定の領域，ｙ２は、送りねじの溝深さが、ディスク半径増大方向に次第に減少する領域、Ｃ０はｙ１部における送りねじの溝、Ｃ１、Ｃ２、Ｃ３、Ｃ４、Ｃ５はｙ２部における送りねじの溝、ｄ１は溝Ｃ１の溝深さ、ｄ２は溝Ｃ２の溝深さ、ｄ３は溝Ｃ３の溝深さ、ｄ４は溝Ｃ４の溝深さ、ｄ５は溝Ｃ５の溝深さである。本実施例構成では、ｄ１＞ｄ２＞ｄ３＞ｄ４＞ｄ５の関係にあり、溝Ｃ０の溝深さｄ０（図示なし）は、ｄ０≧ｄ１の関係にあるとする。以下、本図２の説明中において、図１の構成要素には、図１の場合と同じ符号を付す。ラック部６が移動し光ピックアップ１が半径増大方向の移動の終端位置に達した位置では、ラック部６はｙ２領域にあり、該ラック部６は該ｙ２領域で、リードスクリュー３の送りねじの溝に対して歯飛び状態となる。該ｙ２領域の送りねじの溝Ｃ１、Ｃ２、Ｃ３、Ｃ４、Ｃ５は溝深さが浅くされているため、該歯飛びに伴い発生する音（歯飛び音）は、例えば該歯飛びがｙ１領域の送りねじの溝Ｃ０と同じ溝深さの溝との間で発生する場合に比べて低くなる。
【００１０】
図３は、図２の構成の比較図であって、図２に示すｙ２領域の送りねじの溝の深さを略一定（溝深さｄ０）とした場合のリードスクリュー３’の構成例である。かかる構成とした場合には、ラック部６が送りねじの溝に対して歯飛び状態となったときの歯飛び音は高くなる。
【００１１】
上記実施例によれば、光ディスク装置の光ピックアップ送り機構において、光ピックアップ１側のラック部６とリードスクリュー部材３側との係合を、ラック部６をばね７の弾性復元力で付勢しているため、略一定の力で該ラック部６と送りねじの溝の表面とを当接させることができるため、係合部に傷が付かない状態で確保することができる。また、リードスクリュー部材３の送りねじの溝深さが、ディスク半径増大方向に次第に減少する領域ｙ２を設けているため、ラック部６が送りねじの溝に対し歯飛び状態となったときも、該歯飛びに起因して発生する音を低く抑えることが可能となる。
【００１２】
【発明の効果】
本発明によれば、光ディスク装置の光ピックアップ送り機構において、光ピックアップ側のラック部とリードスクリュー側との係合を、係合部に傷が付かない状態で確保できるとともに、該係合が歯飛び状態となったときの音を抑えることが可能となる。
【図面の簡単な説明】
【図１】本発明の実施例としての光ディスク装置の構成例を示す図である。
【図２】図１の光ディスク装置に用いたリードスクリューの構成を示す図である。
【図３】図２の構成の比較図である。
【符号の説明】
１…光ピックアップ、  ２…ターンテーブル、  ３…リードスクリュー部材、４…送りモータ、  ５…ガイド部材、  ６…ラック部、  ７…ばね、  ８…ャーシ、  ９…フレキシブル基板。
【図１】
2005056458.tif 000003
【図２】
2005056458.tif 000004
【図３】
2005056458.tif 000005